(57)【要約】【課題】無端部材の回転方向において、感温磁性板の上流側の端部と、基板の上流側の端部とが同様の位置とされている場合と比して、無端部材の内周面に塗布されている潤滑油が減少してしまうのを抑制することができる加熱部、定着装置、画像形成装置を得る。【解決手段】加熱部８２では、定着ベルト１０２の回転方向において基板１５４の上流側の端部１５４Ａは、感温磁性板１１４の上流側の端部１１４Ａと比して、定着ベルト１０２の回転方向の下流側に位置している。これにより、端部１１４Ａによって堰き止められた潤滑油Ｏｉは、端部１１４Ａから液滴となって落下する。【選択図】図１
2017015832.tif 000002
【特許請求の範囲】
【請求項１】
磁界を発生する磁界発生部材と、
前記磁界発生部材と外周面の一部が対向し、無端状で内周面に潤滑油が塗布されると共に、周方向に回転し、前記磁界の電磁誘導により発熱する無端部材と、
前記無端部材において前記磁界発生部材と対向している部分の内周面に接触している感温磁性板と、
前記感温磁性板に対して前記無端部材とは反対側に重ねられ、前記無端部材の回転方向において上流側の端部が、前記感温磁性板の上流側の端部と比して、前記回転方向の下流側に位置する基板と、
を備える加熱部。
【請求項２】
前記無端部材の回転方向において、前記感温磁性板の下流側の端部及び前記基板の下流側の端部は、前記無端部材の回転中心に対して下方側に位置し、
前記無端部材の回転方向において、前記基板の下流側の端部は、前記感温磁性板の下流側の端部と比して、前記回転方向の下流側に位置している請求項１に記載の加熱部。
【請求項３】
請求項１又は２に記載の加熱部と、
前記加熱部に、記録媒体を加圧する加圧部材と、
を備える定着装置。
【請求項４】
記録媒体に画像を形成する画像形成部と、
前記画像形成部によって画像が形成された記録媒体に画像を定着させる請求項３に記載の定着装置と、
を備える画像形成装置。
【発明の詳細な説明】
【技術分野】
【０００１】
本発明は、加熱部、定着装置、及び画像形成装置に関する。
【背景技術】
【０００２】
文献１に記載の画像形成装置は、画像定着装置を備えている。そして、画像定着装置は、電磁誘導加熱を利用した加熱手段を備えている。
【先行技術文献】
【特許文献】
【０００３】
【特許文献１】特開２０１１−８１１９号公報
【発明の概要】
【発明が解決しようとする課題】
【０００４】
電磁誘導加熱を利用した加熱部は、無端状の無端ベルト（無端部材）と、この無端ベルトの内部で無端ベルトの内周面に接触する感温磁性板と、感温磁性板に対して無端ベルト側とは反対側に重ねられている基板とを含んで構成されている。この無端ベルトは回転するようになっており、無端ベルトの回転方向において、感温磁性板の上流側の端部と基板の上流側の端部とは、同様の位置とされている。また、無端ベルトの内周面には、感温磁性板との間で発生する摩擦抵抗を低減させるため、潤滑油が塗布されている。
【０００５】
そして、無端ベルトが回転すると、無端ベルトの内周面に塗布された潤滑油は、感温磁性板の上流側の端部及び基板の上流側の端部に堰き止められ、堰き止められた潤滑油が、毛細管現象により感温磁性板と基板との間に吸い込まれてしまうことがある。これにより、無端ベルトの内周面に塗布されている潤滑油は、減少してしまう。
【０００６】
本発明の課題は、無端部材の回転方向において、感温磁性板の上流側の端部と、基板の上流側の端部とが同様の位置とされている場合と比して、無端部材の内周面に塗布されている潤滑油が減少してしまうのを抑制することである。
【課題を解決するための手段】
【０００７】
本発明の請求項１に係る加熱部は、磁界を発生する磁界発生部材と、前記磁界発生部材と外周面の一部が対向し、無端状で内周面に潤滑油が塗布されると共に、周方向に回転し、前記磁界の電磁誘導により発熱する無端部材と、前記無端部材において前記磁界発生部材と対向している部分の内周面に接触している感温磁性板と、前記感温磁性板に対して前記無端部材とは反対側に重ねられ、前記無端部材の回転方向において上流側の端部が、前記感温磁性板の上流側の端部と比して、前記回転方向の下流側に位置する基板と、を備えることを特徴とする。
【０００８】
本発明の請求項２に係る加熱部は、請求項１に記載の加熱部において、前記無端部材の回転方向において、前記感温磁性板の下流側の端部及び前記基板の下流側の端部は、前記無端部材の回転中心に対して下方側に位置し、前記無端部材の回転方向において、前記基板の下流側の端部は、前記感温磁性板の下流側の端部と比して、前記回転方向の下流側に位置していることを特徴とする。
【０００９】
本発明の請求項３に係る定着装置は、請求項１又は２に記載の加熱部と、前記加熱部に、記録媒体を加圧する加圧部材と、を備えることを特徴とする。
【００１０】
本発明の請求項４に係る画像形成装置は、記録媒体に画像を形成する画像形成部と、前記画像形成部によって画像が形成された記録媒体に画像を定着させる請求項３に記載の定着装置と、を備えることを特徴とする。
【発明の効果】
【００１１】
本発明の請求項１の加熱部によれば、無端部材の回転方向において、感温磁性板の上流側の端部と、基板の上流側の端部とが同様の位置とされている場合と比して、無端部材の内周面に塗布されている潤滑油が減少してしまうのを抑制することができる。
【００１２】
本発明の請求項２の加熱部によれば、無端部材の回転方向において、感温磁性板の下流側の端部と、基板の下流側の端部とが同様の位置とされている場合と比して、無端部材の内周面に塗布されている潤滑油が減少してしまうのを抑制することができる。
【００１３】
本発明の請求項３の定着装置によれば、請求項１又は２に記載の加熱部を備えていない場合と比して、無端部材を回転されるためのトルクが上昇するのを抑制することができる。
【００１４】
本発明の請求項４の画像形成装置によれば、請求項３に記載された定着装置を備えていない場合と比して、出力画像の品質が低下するのを抑制することができる。
【図面の簡単な説明】
【００１５】
【図１】本発明の実施形態に係る加熱部を示した断面図である。
【図２】本発明の実施形態に係る定着装置を示した断面図である。
【図３】本発明の実施形態に係る定着装置を示した断面図である。
【図４】（Ａ）（Ｂ）（Ｃ）本発明の実施形態に係る加熱部を示した拡大断面図である。
【図５】（Ａ）（Ｂ）（Ｃ）本発明の実施形態に係る加熱部を示した拡大断面図である。
【図６】本発明の実施形態に係る加熱部に用いられる感温磁性部材の透磁率と温度の関係を示した模式図である。
【図７】本発明の実施形態に係る加熱部に用いられる定着ベルトの断面図である。
【図８】本発明の実施形態に係る画像形成装置に用いられる画像形成ユニットを示した構成図である。
【図９】本発明の実施形態に係る画像形成装置を示した概略構成図である。
【図１０】本発明の実施形態に対する比較形態に係る加熱部を示した断面図である。
【図１１】（Ａ）（Ｂ）本発明の実施形態に対する比較形態に係る加熱部を示した拡大断面図である。
【図１２】（Ａ）（Ｂ）本発明の実施形態に対する比較形態に係る加熱部を示した拡大断面図である。
【発明を実施するための形態】
【００１６】
本発明の実施形態に係る加熱部、定着装置、画像形成装置の一例を図１〜図１２に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００１７】
（全体構成）
図９に示されるように、本実施形態に係る画像形成装置１０には、上下方向（矢印Ｈ方向）の下方側から上方側へ向けて、記録媒体としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０とが、この順で備えられている。
【００１８】
〔収容部〕
収容部１４には、画像形成装置１０の装置本体１０Ａから装置奥行方向の手前側に引き出し可能な収容部材２６が備えられており、この収容部材２６にシート部材Ｐが積載されている。さらに、収容部１４には、収容部材２６に積載されたシート部材Ｐを、搬送部１６を構成する搬送経路２８に送り出す送出ロール３０が備えられている。
【００１９】
〔搬送部〕
搬送部１６には、搬送経路２８に沿ってシート部材Ｐを搬送する複数の搬送ロール３２が備えられている。
【００２０】
〔画像形成部〕
画像形成部２０には、イエロー（Ｙ）、マゼンタ（Ｍ）、シアン（Ｃ）、ブラック（Ｋ）の４つの画像形成ユニット１８Ｙ、１８Ｍ、１８Ｃ、１８Ｋが備えられている。なお、以後の説明では、Ｙ，Ｍ，Ｃ，Ｋを区別して説明する必要が無い場合は、Ｙ，Ｍ，Ｃ，Ｋを省略して記載することがある。
【００２１】
各色の画像形成ユニット１８には、図８に示されるように、像保持体３６と、像保持体３６の表面を帯電させる帯電ロール３８と、帯電した像保持体３６に各色の露光光を照射する露光装置４２とが備えられている。さらに、画像形成部２０には、前述した露光装置４２が帯電した像保持体３６を露光して形成された静電潜像を現像してトナー画像として可視化する現像装置４０が備えられている。
【００２２】
また、画像形成部２０には、図９に示されるように、各色の画像形成ユニット１８によって形成されたトナー画像が一括して転写される無端状の転写ベルト２２と、転写ベルト２２に転写されたトナー画像をシート部材Ｐに転写する転写ロール２４とが備えられている。
【００２３】
さらに、画像形成部２０には、シート部材Ｐ上のトナー画像を加熱・加圧してシート部材Ｐに定着する定着装置８０が備えられている。
【００２４】
なお、定着装置８０については、詳細を後述する。
【００２５】
（画像形成装置の作用）
画像形成装置１０では、次のようにして画像が形成される。
【００２６】
先ず、電圧が印加された各色の帯電ロール３８は、各色の像保持体３６の表面と接触して像保持体３６の表面を予定の電位で一様にマイナス帯電させる。続いて、外部から入力されたデータに基づいて露光装置４２は、帯電した各色の像保持体３６の表面に露光光を照射して静電潜像を形成する。
【００２７】
これにより、画像データに対応した静電潜像が各色の像保持体３６の表面に形成される。さらに、各色の現像装置４０は、この静電潜像を現像し、トナー画像として可視化する。また、各色の像保持体３６の表面に形成されたトナー画像は、転写ベルト２２に転写される。
【００２８】
そこで、収容部材２６から送出ロール３０によって搬送経路２８へ送り出されたシート部材Ｐは、転写ベルト２２と転写ロール２４とが接触する転写位置Ｔへ送り出される。転写位置Ｔでは、シート部材Ｐが転写ベルト２２と転写ロール２４とに挟持搬送されることで、転写ベルト２２の表面のトナー画像は、シート部材Ｐに転写される。
【００２９】
シート部材Ｐに転写されたトナー画像は、定着装置８０によってシート部材Ｐに定着される。そして、トナー画像が定着されたシート部材Ｐは、搬送ロール３２によって装置本体１０Ａの外部へ排出される。
【００３０】
（定着装置の構成）
次に、定着装置８０について説明する。
【００３１】
定着装置８０は、図２に示されるように、シート部材Ｐの進入又は排出のための開口１２０Ａ、１２０Ｂが形成された筐体１２０を備えている。筐体１２０の内部には、シート部材Ｐに形成されたトナー画像を加熱する加熱部８２と、シート部材Ｐを加熱部８２側に加圧する加圧部材の一例としての加圧ロール８４とが配置されている。
【００３２】
〔加熱部〕
加熱部８２は、無端状（筒状）の無端部材の一例としての定着ベルト１０２を備えている。定着ベルト１０２の両端には、円筒状で回転軸を備えたキャップ部材（図示省略）が嵌合して固定されており、定着ベルト１０２が、回転軸Ｃを中心として、回転可能に支持されている。また、一方のキャップ部材には、定着ベルト１０２を回転させるモータ（図示省略）の回転力が伝達されるギヤが形成されている。そして、モータを稼働させることで、定着ベルト１０２は矢印Ｅ方向（時計方向）に回転するようになっている。
【００３３】
また、定着ベルト１０２の外周面の一部と対向する位置には、絶縁性の部材で構成されたボビン１０８が配置されている。
【００３４】
［ボビン］
ボビン１０８は、定着ベルト１０２の回転軸方向（装置奥行方向と同一方向）から見て、定着ベルト１０２の外周面に倣った円弧状とされている。さらに、ボビン１０８において、定着ベルト１０２に対して反対側の面の周方向の中央側には、凸部１０８Ａが形成されている。
【００３５】
ボビン１０８には、通電によって磁界Ｈを発生する磁界発生部材の一例としての励磁コイル１１０が、凸部１０８Ａを中心として複数回巻き回されている。励磁コイル１１０と対向する位置には、ボビン１０８の円弧状に倣って円弧状に形成された磁性体コア１１２が配置され、磁性体コア１１２はボビン１０８に支持されている。
【００３６】
［定着ベルト］
定着ベルト１０２は、図７に示されるように、内側から外側に向けて配置される基層１２４、発熱層１２６、弾性層１２８、及び離型層１３０を含んで構成されており、これらが積層され一体となっている。また、定着ベルト１０２は、一例として、直径が３０ｍｍ、奥行方向長さが３７０ｍｍとなっている。
【００３７】
基層１２４は、発熱層１２６を支持する強度を有し、耐熱性があり、磁界Ｈの磁束を貫通させ、磁界の作用により発熱しにくい部材で構成されている。本実施形態では、基層１２４として、厚さ３５μｍの非磁性ステンレス鋼が用いられている。
【００３８】
発熱層１２６は、電磁誘導により発熱する部材で構成されている。また、発熱層１２６は、磁界Ｈの磁束を貫通させるために、磁界Ｈが侵入可能な厚さである表皮深さよりも薄くされている。本実施形態では、発熱層１２６として、厚さ１０μｍの銅が用いられている。
【００３９】
弾性層１２８は、弾性と耐熱性とを有する部材で構成されている。本実施形態では、弾性層１２８として、厚さ２００μｍのシリコンゴムが用いられている。
【００４０】
離型層１３０は、シート部材Ｐを定着ベルト１０２から剥離し易くする部材で構成されている。本実施形態では、離型層１３０として、厚さ３０μｍの四フッ化エチレン・パーフルオロアルコキシエチレン共重合樹脂が用いられている。
【００４１】
また、定着ベルト１０２の内周面には、後述する感温磁性板１１４との摩擦抵抗を低減させるため、潤滑油（例えば、シリコンオイル）が塗布されている。なお、潤滑油とは、機械の歯車などを、効率よく潤滑するための、潤滑剤として使われる油である。
【００４２】
さらに、図２に示されるように、定着ベルト１０２の内側で、励磁コイル１１０と径方向に対向しない領域で、かつ、シート部材Ｐの排出側の領域（図中上方側の領域）に、定着ベルト１０２の温度を検知する温度検知センサ１３４が配置されている。
【００４３】
また、定着ベルト１０２の内側には、ボビン１０８に対して定着ベルト１０２を挟んで径方向の反対側には、定着ベルト１０２の内周面に接触するように円弧状とされ、定着ベルト１０２の内周面と接触する接触部材１５２が備えられている。
【００４４】
さらに、定着ベルト１０２の内側には、定着ベルト１０２において励磁コイル１１０と対向している部分の内周面に対して定着ベルト１０２の周方向に沿って接触する接触部材１５２が備えられている。
【００４５】
［接触部材］
接触部材１５２は、感温磁性部材で成形された感温磁性板１１４と、感温磁性板１１４に対して定着ベルト１０２側とは反対側に重ねられている基板１５４とを有している。
【００４６】
また、接触部材１５２の内側（図中左側）には、接触部材１５２を支持する支持部材１１８が配置されている。さらに、定着ベルト１０２の内側で、シート部材Ｐの進入側の領域（図中下方側の領域）に、感温磁性板１１４の温度を検知する温度検知センサ１３５が配置されている。
【００４７】
なお、接触部材１５２については、詳細を後述する。
【００４８】
［支持部材］
支持部材１１８は、装置奥行方向に延び、アルミニウム板を折り曲げて形成され、接触部材１５２の上端側の部分と接触部材１５２の下端側の部分とに跨るように配置されている。そして、支持部材１１８の上端部が、接触部材１５２の上端側の部分を支持し、支持部材１１８の下端部が、接触部材１５２の下端側の部分を支持している。
【００４９】
また、支持部材１１８は、前述した表皮深さ以上の厚さを有しており、磁界Ｈの磁束が貫通しないように構成されている。
【００５０】
［フレーム］
フレーム１５８は、図１に示されるように、支持部材１１８を挟んで接触部材１５２に対して反対側に配置されている。そして、フレーム１５８は、装置奥行方向に延びる本体部材１６０と、支持部材１１８の上方側の部分を支持する上側支持部材１６２と、支持部材１１８の下方側の部分を支持する下側支持部材１６４と、を備えている。
【００５１】
本体部材１６０は、装置奥行方向から見て外形が五角形とされ（図２参照）、装置奥行方向に延びている。そして、本体部材１６０の装置奥行方向の両端は、筐体１２０（図２参照）に固定されている。さらに、本体部材１６０は、支持部材１１８と接触し、支持部材１１８を支持している。
【００５２】
また、本体部材１６０の上面には、上側支持部材１６２が取り付けられ、本体部材１６０の下面には、下側支持部材１６４が取り付けられている。
【００５３】
上側支持部材１６２は、円柱状の棒材を折り曲げることでＬ字状に形成され、装置奥行方向に間隔を空けて複数個配置されている。上側支持部材１６２において、支持部材１１８に向けて装置幅方向に延びる延設部１６２Ｂには、外径が広げられた拡径部１６２Ａが形成されている。さらに、延設部１６２Ｂの先端側は、支持部材１１８に形成された図示せぬ貫通孔を貫通している。これにより、支持部材１１８の上方側の部分は、延設部１６２Ｂに案内されて装置幅方向に移動するようになっている。
【００５４】
さらに、拡径部１６２Ａと支持部材１１８との間には、支持部材１１８を介して接触部材１５２の上方側の部分を定着ベルト１０２の内周面に向けて付勢するコイルバネ１６６が配置されている。
【００５５】
下側支持部材１６４は、円柱状の棒材を折り曲げることでＬ字状に形成され、装置奥行方向に間隔を空けて複数個配置されている。下側支持部材１６４において、支持部材１１８に向けて装置幅方向に延びる延設部１６４Ｂには、外径が広げられた拡径部１６４Ａが形成されている。さらに、延設部１６４Ｂの先端側は、支持部材１１８に形成された図示せぬ貫通孔を貫通している。これにより、支持部材１１８の下方側の部分は、延設部１６４Ｂに案内されて装置幅方向に移動するようになっている。
【００５６】
さらに、拡径部１６４Ａと支持部材１１８との間には、支持部材１１８を介して接触部材１５２の下方側の部分を定着ベルト１０２の内周面に向けて付勢するコイルバネ１７０が配置されている。
【００５７】
一方、図２に示されるように、本体部材１６０において支持部材１１８が配置される側に対して反対側には、加圧ロール８４との間で定着ベルト１０２を挟む押圧パット１３２が固定されている。本実施形態では、押圧パット１３２を構成する材料として、液晶ポリマー（Ｌｉｑｕｉｄ  Ｃｒｙｓｔａｌ  Ｐｏｌｙｍｅｒ）が用いられている。
【００５８】
〔加圧ロール〕
加圧ロール８４は、図２に示されるように、アルミニウム等の金属からなる芯金８４Ａと、この芯金８４Ａに被覆される厚さ５ｍｍの発泡シリコンゴムのスポンジ弾性層８４Ｂと、を備えている。さらに、加圧ロール８４は、このスポンジ弾性層８４Ｂの外側に、厚さ５０μｍのカーボン入りの四フッ化エチレン・パーフルオロアルコキシエチレン共重合樹脂（ＰＦＡ）からなる離型層（図示省略）を備えている。
【００５９】
また、加圧ロール８４の芯金８４Ａは、図示せぬリトラクト機構によって移動し、装置幅方向に移動するようになっている。そして、このリトラクト機構によって、加圧ロール８４は、定着ベルト１０２と接して定着ベルト１０２を加圧する加圧位置（図２参照）と、定着ベルト１０２と離間する非加圧位置（図３参照）とに移動するようになっている。
【００６０】
さらに、加圧ロール８４の芯金８４Ａには、図示せぬモータからの回転力が伝達され、加圧ロール８４は、図２に示す矢印Ｆ方向（矢印Ｅ方向と反対方向）に回転するようになっている。
【００６１】
（定着装置の作用）
定着装置８０の非稼働状態では、図３に示されるように、加圧ロール８４は、定着ベルト１０２と離間する非加圧位置に配置されている。
【００６２】
ユーザによりジョブが指示され、画像形成装置１０が稼働すると、トナー画像が転写されたシート部材Ｐが定着装置８０へ向けて搬送される。そして、定着装置８０では、定着ベルト１０２が、図示せぬモータからの回転力を受けて矢印Ｅ方向に回転する。
【００６３】
さらに、励磁コイル１１０に交流電流が供給され、励磁コイル１１０の周囲に磁気回路としての磁界Ｈが生成消滅を繰り返す。そして、磁界Ｈが定着ベルト１０２の発熱層１２６（図７参照）を横切ると、磁界Ｈの変化を妨げる磁界が生じるように発熱層１２６に渦電流が発生する。これより、定着ベルト１０２が発熱する。
【００６４】
定着ベルト１０２が定着設定温度に達した後、加圧ロール８４は、図示せぬモータからの回転力を受けて矢印Ｆ方向に回転する。さらに、リトラクト機構が作動し、加圧ロール８４が、図２に示されるように、非加圧位置から加圧位置に移動する。加圧ロール８４が、加圧位置に移動すると、定着ベルト１０２へ伝達されている回転力が解除され、定着ベルト１０２は、回転する加圧ロール８４に従動して回転する。
【００６５】
そして、定着装置８０に向けて搬送られたシート部材Ｐは、定着ベルト１０２と、加圧ロール８４とによって加熱・加圧され、トナー画像がシート部材Ｐに定着する。
【００６６】
そして、全てのジョブが完了すると、加圧ロール８４は、加圧位置から非加圧位置へ移送し、加圧ロール８４の回転は、停止する。さらに、励磁コイル１１０への交流電流の供給は、停止する。
【００６７】
（要部構成）
次に、接触部材１５２について説明する。
【００６８】
接触部材１５２は、図２に示されるように、前述したように、感温磁性部材で成形された感温磁性板１１４と、感温磁性板１１４に対して定着ベルト１０２側とは反対側に重ねられている基板１５４とを有している。
【００６９】
感温磁性板１１４は、装置奥行方向から見て円弧状とされ、定着ベルト１０２において励磁コイル１１０と径方向に対向している部分の内周面に接触している。具体的には、定着ベルト１０２の回転方向において感温磁性板１１４の一端部から他端部まで、感温磁性板１１４は、定着ベルト１０２の内周面に接触している。
【００７０】
そして、感温磁性板１１４は、図６に示されるように、感温特性を有する。定着ベルト１０２の定着（加熱）設定温度以上で、温度上昇に伴って定着ベルト１０２の耐熱温度以下の温度領域にある透磁率変化開始温度から、透磁率が連続的に低下し始める感温特性を有する部材で構成されている。これにより、感温磁性板１１４の温度が上昇して透磁率変化開始温度以上で透磁率が低下した場合には、定着ベルト１０２を貫通する磁束が減少し定着ベルト１０２の発熱が抑制されるようになっている。本実施形態では、感温磁性板１１４として、厚さ３００〔μｍ〕の鉄‐ニッケル合金（Ｆｅ−Ｎｉ）が用いられている。
【００７１】
なお、透磁率変化開始温度とは、透磁率（ＪＩＳ  Ｃ２５３１で測定）が低下し始める温度であり、磁界の磁束の貫通量が変化し始める温度をいう。
【００７２】
基板１５４は、図１に示されるように、装置奥行方向から見て円弧状とされ、感温磁性板１１４に対して定着ベルト１０２とは反対側に重ねられて接触している。そして、基板１５４と感温磁性板１１４とは、図示せぬ固定手段（例えば、溶接等）で固定されている。
【００７３】
そして、基板１５４は、感温磁性板１１４で生じた熱を装置奥行方向に伝導する部材である。これにより、感温磁性板１１４の装置奥行方向の温度分布が同様となり、局部的な（部分的な）昇温が抑制されるようになっている。本実施形態では、基板１５４として、厚さ４００〔μｍ〕のアルミニウムが用いられている。
【００７４】
ここで、定着ベルト１０２の回転方向において、感温磁性板１１４の上流側の端部１１４Ａ、及び基板１５４の上流側の端部１５４Ａは、定着ベルト１０２の回転軸Ｃ（回転中心）に対して上方側に配置されている。
【００７５】
さらに、定着ベルト１０２の回転方向において基板１５４の上流側の端部１５４Ａは、感温磁性板１１４の上流側の端部１１４Ａと比して、定着ベルト１０２の回転方向の下流側に位置している。なお、詳細は後述するが、潤滑油Ｏｉの液滴の直径を考慮し、基板１５４の上流側の端部１５４Ａを、感温磁性板１１４の上流側の端部１１４Ａと比して、定着ベルト１０２の回転方向の下流側に１〔ｍｍ〕以上ずらすことが好ましい。
【００７６】
また、定着ベルト１０２の回転方向において、感温磁性板１１４の下流側の端部１１４Ｂ、及び基板１５４の下流側の端部１５４Ｂは、定着ベルト１０２の回転軸Ｃ（回転中心）に対して下方側に配置されている。
【００７７】
さらに、定着ベルト１０２の回転方向において、基板１５４の下流側の端部１５４Ｂは、感温磁性板１１４の下流側の端部１１４Ｂと比して、定着ベルト１０２の回転方向の下流側に位置している。
【００７８】
（要部構成の作用）
次に、要部構成の作用について、比較形態に係る加熱部２００と比較しつつ説明する。
【００７９】
先ず、比較形態に係る加熱部２００の構成について、実施形態に係る加熱部８２に対して異なる部位を主に説明する。
【００８０】
図１０に示されるように、定着ベルト１０２の回転方向において、感温磁性板２０４の上流側の端部２０４Ａと基板１５４の上流側の端部１５４Ａとは、定着ベルト１０２の回転方向において同様の位置とされている。
【００８１】
さらに、定着ベルト１０２の回転方向において、感温磁性板２０４の下流側の端部２０４Ｂと基板１５４の下流側の端部１５４Ｂとは、定着ベルト１０２の回転方向において同様の位置とされている。
【００８２】
この構成において、加熱部２００では、定着ベルト１０２が矢印Ｅ方向に回転すると、図１１（Ａ）に示されるように、定着ベルト１０２の内周面に塗布されている潤滑油Ｏｉの一部は、端部２０４Ａ及び端部１５４Ａによって堰き止められる。そして、堰き止められた潤滑油Ｏｉは、図１１（Ｂ）に示されるように、毛細管現象により、端部２０４Ａと端部１５４Ａとの隙間から感温磁性板２０４と基板１５４との間に吸い込まれる。これにより、定着ベルト１０２の内周面に塗布されている潤滑油Ｏｉは、減少する。
【００８３】
さらに、定着ベルト１０２の回転が停止すると、定着ベルト１０２の内周面に塗布されている潤滑油Ｏｉは、定着ベルト１０２の下方側へ流れて溜まる。そして、定着ベルト１０２の下方側へ流れて溜まった潤滑油Ｏｉの一部は、図１２（Ａ）、（Ｂ）に示されるように、毛細管現象により、端部２０４Ｂと端部１５４Ｂとの隙間から感温磁性板２０４と基板１５４との間に吸い込まれる。これにより、定着ベルト１０２の内周面に塗布されている潤滑油Ｏｉは、減少する。
【００８４】
一方、本実施形態に係る加熱部８２では、定着ベルト１０２が矢印Ｅ方向に回転すると、図４（Ａ）に示されるように、定着ベルト１０２の内周面に塗布されている潤滑油Ｏｉの一部は、端部１１４Ａによって堰き止められる。定着ベルト１０２の回転方向において、端部１５４Ａは、端部１１４Ａに比して下流側に位置しているため、堰き止められた潤滑油Ｏｉは、端部１５４Ａと離間している。
【００８５】
そして、堰き止められた潤滑油Ｏｉは、図４（Ｂ）、（Ｃ）に示されるように、端部１１４Ａから液滴となって落下する。そして、毛細管現象により、潤滑油Ｏｉが感温磁性板１１４と基板１５４との間に吸い込まれるのが抑制される。これにより、加熱部８２では、定着ベルト１０２の内周面に塗布されている潤滑油Ｏｉの減少が抑制されている。
【００８６】
ここで、定着温度（例えば１３０〔℃〕〜１７０〔℃〕）での潤滑油Ｏｉの液滴の直径は、１〔ｍｍ〕程度である。これより、基板１５４の上流側の端部１５４Ａを、感温磁性板１１４の上流側の端部１１４Ａと比して、定着ベルト１０２の回転方向の下流側に１〔ｍｍ〕以上ずらすことで、潤滑油Ｏｉの液滴が効果的に落下する。
【００８７】
さらに、定着ベルト１０２の回転が停止すると、定着ベルト１０２の内周面に塗布されている潤滑油Ｏｉは、定着ベルト１０２の下方側へ流れて溜まる。そして、定着ベルト１０２の下方側へ流れて溜まった潤滑油Ｏｉの一部は、図５（Ａ）、（Ｂ）に示されるように、端部１５４Ｂから基板１５４と定着ベルト１０２との間に侵入する。そして、基板１５４と定着ベルト１０２との間に侵入して端部１１４Ｂ側に移動した潤滑油Ｏｉは、図５（Ｃ）に示されるように、毛細管現象により、端部１１４Ｂから感温磁性板１１４と基板１５４との間に吸い込まれる。このように、加熱部８２では、潤滑油Ｏｉが基板１５４と定着ベルト１０２との間を移動した後に、毛細管現象により、端部１１４Ｂから感温磁性板１１４と基板１５４との間に吸い込まれる。これにより、潤滑油Ｏｉが毛細管現象により、端部１１４Ｂから感温磁性板１１４と基板１５４との間に吸い込まれるのが、遅れる。
【００８８】
〔評価〕
次に、実施例に係る加熱部８２と、比較例に係る加熱部２００とを評価した。
【００８９】
［評価仕様］
比較例に係る加熱部２００には、富士ゼロックス社製Ｄｏｃｕ  Ｃｅｎｔｒｅ  ５５７５の加熱部を用いた。感温磁性板２０４の端部と基板１５４の端部とはずれていない。
【００９０】
また、実施例に係る加熱部８２には、富士ゼロックス社製Ｄｏｃｕ  Ｃｅｎｔｒｅ  ５５７５の加熱部として、感温磁性板１１４の端部と基板１５４の端部とをずらしたものを用いた。具体的には、感温磁性板１１４の端部と基板１５４の端部を、３．９〔ｍｍ〕程度ずらした。
【００９１】
［評価方法］
実施例に係る加熱部８２の接触部材の質量、及び比較例に係る加熱部２００の接触部材の質量を測定した。さらに、加熱部８２の定着ベルト１０２の内周面及び加熱部２００の定着ベルト１０２の内周面に夫々潤滑油Ｏｉを０．５〔ｍｌ〕塗布した後、夫々の定着ベルト１０２を非加熱状態で１０分間回転させた。
【００９２】
定着ベルト１０２を回転させた後に、実施例に係る加熱部８２の接触部材の質量、及び比較例に係る加熱部２００の接触部材の質量を測定した。
【００９３】
このように、定着ベルト１０２を回転させた前後で、質量を測定することで、毛細管現象により、定着ベルト１０２の回転方向において接触部材の上流側の端部から感温磁性板１１４、２０４と基板１５４との間に吸い込まれた潤滑油Ｏｉの量を潤滑油Ｏｉの密度を考慮して求めた。
【００９４】
［評価結果］
比較例に係る加熱部２００では、０．３〔ｍｌ〕の潤滑油Ｏｉが、感温磁性板２０４と基板１５４との間に吸い込まれた。換言すれば、定着ベルト１０２の内周面に塗布された０．３〔ｍｌ〕の潤滑油Ｏｉが減少した。
【００９５】
これに対して、実施例に係る加熱部８２では、０．０５〔ｍｌ〕の潤滑油Ｏｉが、感温磁性板１１４と基板１５４との間に吸い込まれた。換言すれば、定着ベルト１０２の内周面に塗布された０．０５〔ｍｌ〕の潤滑油Ｏｉが減少した。
【００９６】
（まとめ）
加熱部８２では、定着ベルト１０２の回転方向において基板１５４の上流側の端部１５４Ａは、感温磁性板１１４の上流側の端部１１４Ａと比して、定着ベルト１０２の回転方向の下流側に位置している。これにより、以上の評価結果からも分かるように、加熱部８２では、比較形態に係る加熱部２００と比して、定着ベルト１０２の内周面に塗布されている潤滑油Ｏｉが減少してしまうのが抑制される。
【００９７】
また、加熱部８２では、定着ベルト１０２の回転方向において、基板１５４の下流側の端部１５４Ｂは、感温磁性板１１４の下流側の端部と比して、定着ベルト１０２の回転方向の下流側に位置している。これにより、前述したように、潤滑油Ｏｉが基板１５４と定着ベルト１０２との間を移動した後に、端部１１４Ｂから感温磁性板１１４と基板１５４との間に吸い込まれる。このため、例えば、潤滑油Ｏｉが基板１５４と定着ベルト１０２との間を移動している間に、定着ベルト１０２が回転すると、基板１５４と定着ベルト１０２との間を移動している潤滑油Ｏｉは、感温磁性板１１４と基板１５４との間に吸い込まれるのが抑制される。これにより、定着ベルト１０２の内周面に塗布されている潤滑油Ｏｉが減少してしまうのが抑制される。
【００９８】
また、定着装置８０においては、定着ベルト１０２の内周面に塗布されている潤滑油Ｏｉが減少してしまうのが抑制されることで、定着ベルト１０２を回転されるためのトルクの上昇が抑制される。
【００９９】
また、画像形成装置１０においては、定着ベルト１０２を回転されるためのトルクの上昇が抑制されることで定着ベルト１０２の周速度が安定し、出力画像の品質低下が抑制される。
【０１００】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、基板１５４の下流側の端部１５４Ｂと感温磁性板１１４の下流側の端部１１４Ｂとを、定着ベルト１０２の回転方向においてずらしたが、ずらさなくてもよい。この場合には、基板１５４の下流側の端部１５４Ｂと感温磁性板１１４の下流側の端部１１４Ｂとを、定着ベルト１０２の回転方向においてずらすことで生じる作用が得られない。
【０１０１】
また、上記実施形態では、感温磁性板１１４の上流側の端部１１４Ａ、及び基板１５４の上流側の端部１５４Ａは、定着ベルト１０２の回転軸Ｃに対して上方側に配置されたが、他の位置に配置されてもよい。端部１５４Ａが、端部１１４Ａと比して、定着ベルト１０２の回転方向の下流側に位置していることで、潤滑油Ｏｉが感温磁性板１１４と基板１５４との間に吸い込まれるのが、比較形態に係る加熱部２００と比して、遅れる。これにより、定着ベルト１０２の内周面に塗布されている潤滑油Ｏｉが減少してしまうのが抑制される。
【符号の説明】
【０１０２】
２０          画像形成部
８０          定着装置
８２          加熱部
８４          加圧ロール（加圧部材の一例）
１０２        定着ベルト（無端部材の一例）
１１０        励磁コイル（磁界発生部材の一例）
１１４        感温磁性板
１１４Ａ      端部
１１４Ｂ      端部
１５４        基板
１５４Ａ      端部
１５４Ｂ      端部
【図１】
2017015832.tif 000003
【図２】
2017015832.tif 000004
【図３】
2017015832.tif 000005
【図４】
2017015832.tif 000006
【図５】
2017015832.tif 000007
【図６】
2017015832.tif 000008
【図７】
2017015832.tif 000009
【図８】
2017015832.tif 000010
【図９】
2017015832.tif 000011
【図１０】
2017015832.tif 000012
【図１１】
2017015832.tif 000013
【図１２】
2017015832.tif 000014